(57)【要約】【課題】使用者が持ちやすく使いやすい電気掃除機を提供する。【解決手段】本体部２は、内部に電動送風機１０を搭載しており、本体部２において、電動送風機１０の上方には上アーム部６が接続され、電動送風機１０の下方には下アーム部７が接続され、上アーム部６と下アーム部７との間にあり、且つ電動送風機１０の後方には把手部９が配置されており、本体部２の前方にはダストボックス１１と接続管部３が配置され、電動送風機１０の中心軸とダストボックス１１の中心軸とが略同一の軸上に配置され、電動送風機１０の中心軸とダストボックス１１の中心軸が、接続管部３の中心軸よりも上方にある。【選択図】図４
2020175235.tif 000002
【特許請求の範囲】
【請求項１】
内部に電動送風機を搭載した本体部を有し、
前記本体部において、前記電動送風機の上方には上アーム部が接続され、前記電動送風機の下方には下アーム部が接続され、前記上アーム部と前記下アーム部との間に介在し、且つ前記電動送風機の後方に位置する把手部が配置されており、
前記本体部の前方にはダストボックスと接続管部が配置され、
前記電動送風機の中心軸と前記ダストボックスの中心軸とが略同一の軸上に配置され、前記電動送風機の中心軸と前記ダストボックスの中心軸が、前記接続管部の中心軸よりも上方にある、電気掃除機。
【請求項２】
前記把手部は、前記上アーム部に対して斜めに配置され、前記把手部の重心は、前記電動送風機の中心軸から、前記接続管部の中心軸までの範囲内にある、請求項１に記載の電気掃除機。
【請求項３】
前記把手部の重心は、前記接続管部の中心軸よりも前記電動送風機の中心軸に近い位置にある、請求項２に記載の電気掃除機。
【請求項４】
前記下アーム部は、前記接続管部の中心軸に対して斜め下方に向け傾斜している、請求項１〜３のいずれか１項に記載の電気掃除機。
【請求項５】
前記上アーム部と前記下アーム部との間の距離が、前方から後方に向けて徐々に広くなっている、請求項１〜４のいずれか１項に記載の電気掃除機。
【発明の詳細な説明】
【技術分野】
【０００１】
本発明は電気掃除機に関するものである。
【背景技術】
【０００２】
以前から、電気掃除機の課題として、如何にして軽量にするか、使用者が持ち運びを容易にできるか、という課題が存在する。また、このような課題を解決するために、様々な製品が開発されており、近年では、スティック型の掃除機が製品化されている。
【０００３】
また、スティック型の掃除機に関してさまざまな技術が公開特許公報にて開示されており、例えば特許文献１には、延長管がダストボックスと接続されており、ダストボックスにハンドルが接続されたスティック型の掃除機が開示されている。
【先行技術文献】
【特許文献】
【０００４】
【特許文献１】特開２０１１−１８９１３２号公報
【発明の概要】
【発明が解決しようとする課題】
【０００５】
しかしながら、特許文献１に記載の技術では、ハンドルとダストボックスとの間の空間が狭いために、大きな手の使用者は持ちにくいという課題がある。更に、ダストボックスが延長管に対して垂直に接続されているため、使用者は掃除を行いながらダストボックス内部を容易に見ることができない、という課題がある。
【課題を解決するための手段】
【０００６】
本発明の電気掃除機は、内部に電動送風機を搭載した本体部を有し、本体部において、電動送風機の上方には上アーム部が接続され、電動送風機の下方には下アーム部が接続され、上アーム部と下アーム部との間に介在し、且つ電動送風機の後方に位置する把手部が配置されており、本体部の前方にはダストボックスと接続管部が配置され、電動送風機の中心軸とダストボックスの中心軸とが略同一の軸上に配置され、電動送風機の中心軸とダストボックスの中心軸が、接続管部の中心軸よりも上方にある。
【発明の効果】
【０００７】
本発明では、使用者が電気掃除機の把手部を持ちやすく、且つ電気掃除機本体を動かし易い電気掃除機を提供することができる。
【０００８】
より具体的には、使用者が把手部を持ち掃除を行う際に、電動送風機が接続管部の軸よりも上方に配置された構造であっても安定して掃除を行うことができる。
【図面の簡単な説明】
【０００９】
【図１】本実施例装置の側面図である。
【図２】本実施例装置の本体部２と接続管部３近傍の部分断面図である。
【図３】本実施例装置の本体部２と接続管部３近傍の部分側面図である。
【図４】本実施例装置の本体部２と接続管部３近傍の部分側面図である。
【図５】本実施例装置の把手部９を使用者が持った状態を示す部分側面図である。
【図６】ダストボックス１１の斜視図である。
【図７】ダストボックス１１を接続管部３に接続した状態の斜視図である。
【図８】ダストボックス１１を接続管部３から外した状態の斜視図である。
【図９】電池収納部３６近傍の斜視図である。
【図１０】電池収納部３６近傍の斜視図である。
【図１１】シャーシ４７とボディ４８近傍の分解斜視図である。
【図１２】電気掃除機本体を保持台５０に立て掛けた状態を示す斜視図である。
【図１３】電気掃除機本体を保持台５０から外した状態を示す斜視図である。
【図１４】ホース５７を保持台５０から外した状態を示す斜視図である。
【図１５】ホース５７を接続管部３に接続した状態を示す斜視図である。
【図１６】台座５１部分の斜視図である。
【図１７】台座５１のＸ−Ｘ断面図である。
【図１８】保持部５３部分の斜視図である。
【図１９】保持部５３のＹ−Ｙ断面図である。
【図２０】第３の実施形態における本体部２と接続管部３近傍の部分側面図である。
【発明を実施するための形態】
【００１０】
以下、本発明の実施の形態について、図面を参照しながら説明する。なお、この実施の形態によって本発明が限定されるものではない。
【００１１】
本発明の第１の実施態様は、上アーム部と、下アーム部と、前記上アーム部と前記下アーム部との間に介在する把手部と、を有する本体部、を有し、前記把手部は、前記上アーム部に対して後方に向けて傾斜しており、前記本体部は、前記把手部と前記上アーム部に繋がり、且つ、前記把手部と前記上アーム部に対して傾斜した傾斜部材を有する電気掃除機である。
【００１２】
本発明の第２の実施態様は、前記上アーム部は、前記上アーム部と前記把手部との装着部分より後方が、後方に向けて突出している電気掃除機である。
【００１３】
本発明の第３の実施態様は、前記傾斜部材は、傾斜部材の前方から後方に向けて、下方に向けて傾斜している、電気掃除機である。
【００１４】
本発明の第４の実施態様は、前記上アーム部は、前記上アーム部の前方から後方に向けて、上方に向けて傾斜している、電気掃除機である。
【００１５】
本発明の第５の実施態様は、本体部に着脱可能なダストボックスを有し、前記本体部の前記上アーム部と前記下アーム部の間には中間部があり、前記中間部には電動送風機が内蔵され、前記ダストボックスの軸と前記電動送風機の軸とが、略同一の軸線上となるように、前記ダストボックスが前記本体部に装着される、電気掃除機である。
【００１６】
本発明の第６の実施態様は、前記本体部の前方には第１の開口部を有する接続管部が接続されており、前記ダストボックスは、第２の開口部と第３の開口部を有し、前記本体部は第４の開口部を有し、前記ダストボックスを前記本体部に装着した状態では、前記第１の開口部と前記第２の開口部が接続されると共に、前記第３の開口部と前記第４の開口部が接続され、前記接続管部と前記ダストボックスと前記本体部内部の電動送風機との間に空気の流路が形成される、電気掃除機である。
【００１７】
本発明の第７の実施態様は、前記下アーム部は前記接続管部に対して斜め後方に向け延在している、電気掃除機である。
【００１８】
（実施の形態１）
図１は、第１の実施形態における電気掃除機の側面図である。
【００１９】
図１において、電気掃除機は、本体部２と、本体部２と接続された接続管部３と、接続管部３と接続された延長管４と、延長管４と接続されたノズル５と、を有している。
【００２０】
ノズル５は延長管４から着脱可能であり、延長管４は接続管部３から着脱可能である。また、延長管４は伸縮可能な構造としても良い。
【００２１】
図１に示す電気掃除機において、ノズル５側を前方、本体部２側を後方、延長管４の延在する方向と垂直な方向を上方、下方として以下に説明する。
【００２２】
本体部２は、上アーム部６、下アーム部７、中間部８、把手部９を有している。
【００２３】
把手部９は使用者が電気掃除機を使用する際に持つ部位であり、上アーム部６と下アーム部７との間に形成されている。
【００２４】
中間部８は、上アーム部６と下アーム部７との間にあり、電動送風機１０を内蔵している。
【００２５】
また、上アーム部６と下アーム部７と中間部８と把手部９の部品を組み合わせることにより本体部２が形成されている。
【００２６】
本体部２のボディは、例えば、ポリプロピレンのような熱可塑性樹脂により形成されている。強度と耐熱性を考慮するとポリプロピレンや、ポリプロピレンに繊維等を混入した材料が適しているが、他の材料、例えばＡＢＳ樹脂のようなほかの材料を用いても良い。
【００２７】
尚、本実施例では、本体部２や接続管部３等は主にポリプロピレンのような材料を用いているが、一部の部品や強度の必要なところは、ＡＢＳ樹脂等別の材料を用いても良い。
【００２８】
本体部２前方には、接続管部３が配置されており、接続管部３の上方にはダストボックス１１が着脱自在に接続されている。また、接続管部３の前方には延長管４が着脱自在に接続されており、延長管４の前方にはノズル５が着脱自在に接続されている。
【００２９】
ノズル５は延長管４に対して着脱可能であるだけでなく、ノズル５の支点Ａを軸にして矢印Ｂ方向又は矢印Ｃ方向に所定の角度の範囲内で回転可能である。
【００３０】
使用者は把手部９を持つことにより、電気掃除機本体を移動させることができる。また、ダストボックス１１が電気掃除機本体の上方側に取り付けられているため、使用者が把手部９を持った状態で、容易にダストボックス１１内部のゴミの量を確認することができる。特にダストボックス１１の容器が透明な材料であれば使用者はゴミの量を容易に確認することができる。透明な材料は、例えば、ＰＭＭＡ（ポリメタクリル酸メチル樹脂）、ＰＥＴ（ポリエチレンテレフタラート）等がある。
【００３１】
図２は図１に示す電気掃除機の部分断面図である。具体的には、図１の側面図において、本体部２と接続管部３近傍の断面図である。尚、図２の部分断面図において、本発明と直接関係ないと思われる構造については図示および説明を省略している。
【００３２】
図２に示すように、中間部８には電動送風機１０が内蔵されており、電動送風機１０の前方にはダストボックス１１が装着されている。また、電動送風機１０の軸とダストボックス１１の軸は図２に示すように同じ軸Ｄ上にある。
【００３３】
接続管部３内部の空間とダストボックス１１内部の空間とは、開口を介してつながって
いる。具体的には、この開口は、接続管部３に形成された第１の開口１２とダストボックス１１に形成された第２の開口１３を接続することにより形成される。
【００３４】
更に、ダストボックス１１内部の空間と電動送風機１０内部の空間とは、開口を介してつながっている。具体的にはこの開口は、ダストボックス１１に形成された第３の開口１４と本体部２に形成された第４の開口１５を接続することにより形成される。
【００３５】
電動送風機１０を駆動すると吸引風が発生し、ノズル５から吸い取られた塵は延長管４、接続管部３内部、第１の開口１２及び第２の開口１３を介してダストボックス１１に入り、ダストボックス１１で塵が遠心分離された後に吸引風は第３の開口１４及び第４の開口１５を介して電動送風機１０に入り、本体部２の排気口１６（後述する図９、図１０に記載されている）から外部に放出される。
【００３６】
尚、排気口１６は、図２では図示されていないが、図２において電動送風機１０周囲にある本体部２の表面に形成されている。
【００３７】
上アーム部６の高さ幅Ｅは約３０ｍｍであり、下アーム部７の高さ幅Ｆは約７０ｍｍである。下アーム部７には例えば、リチウムイオン等の二次電池１７が内蔵されており、下アーム部７の厚さは二次電池１７を内蔵するのに必要な厚さとなっている。従って、上アーム部６に比べて下アーム部７の方が、高さ幅が大きくなっている。
【００３８】
重量のある電動送風機１０の下方に、リチウムイオン等の二次電池１７が位置されているため、使用者は把手部９を安定して持つことができる。
【００３９】
電気掃除機の前後方向において、二次電池１７は電動送風機１０の略中央の位置から把手部９後端までの領域に配置されている。
【００４０】
また、二次電池１７は接続管部３に対して斜めになるように後方下側に延在している。具体的には、二次電池１７の軸Ｇは接続管部３の軸Ｈに対して角度Ｉ（例えば、約１０度の角度）となるように傾斜している。尚、この角度Ｉは、必ず１０度である必要はなく他の角度であっても良いが、好ましくは約７度〜１３度程度の範囲の角度が良い。
【００４１】
把手部９は上アーム部６から下アーム部７にかけて、後方に傾斜するように形成されている。
【００４２】
このため、使用者が把手部９を持ち掃除を行う際に、電動送風機１０が接続管部３の軸よりも上方に配置された構造であっても安定して掃除を行うことができる。
【００４３】
また、電動送風機１０の上下方向において、把手部９の重心Ｇは、電動送風機１０の軸Ｄと接続管部３の軸Ｈとの間に存在する。より好ましくは、把手部９の重心Ｇは、接続管部３の軸Ｈよりも電動送風機１０の軸Ｄに近い位置に存在する。
【００４４】
このため、使用者が把手部９を持ち掃除を行う際に、電動送風機１０が接続管部３の軸よりも上方に配置された構造であっても安定して掃除を行うことができる。
【００４５】
仮に、把手部９の形状が本実施例と異なる形状であり、把手部９の重心Ｇが電動送風機１０の軸Ｄよりも上方に存在すれば、電動送風機１０と二次電池１７の重みにより、使用者が電気掃除機本体を自由に動かすことができない。一方、把手部９の重心Ｇが電動送風機１０の軸Ｄよりも下方であり且つ、接続管部３の軸Ｈに近い側に存在すれば、電動送風機１０の重みにより、使用者が電気掃除機本体を持った際に本体がふらついてしまう。
【００４６】
本実施例の電気掃除機では、使用者が本体を動かしやすくするために、先ほど説明したように把手部９の重心Ｇ、二次電池１７、接続管部３、電動送風機１０の位置関係や把手部９の形状が最適なものとなっている。
【００４７】
図３は、図１の本体部２と接続管部３近傍の側面図である。
【００４８】
本体部２の下アーム部７前方の接続管部３との接続部分近傍には、電源端子１９が設けられている。より具体的には、下アーム部７と接続管部３との接続部分の下方にある下アーム部７の表面（電源端子接続表面１８）に、電源端子１９が設けられている。
【００４９】
この電源端子１９は、後述する保持台の電源供給端子と接続可能であり、保持台の電源供給端子、電源端子１９を介して、電力が電気掃除機本体に供給され、下アーム部７に内蔵されている二次電池１７を充電することができる。
【００５０】
電源端子１９は接続管部３の軸線Ｈと略平行となるように前方に突出している。
【００５１】
図３において、延長線Ｊは、下アーム部７底面に沿って延在する線を示している。
【００５２】
電源端子１９は、延長線Ｊと交わらない位置にある。このため、電気掃除機本体を床面に置いた際に、即ち、下アーム部７底面が床面と接触した際に、電源端子１９が床面に触れないようになっている。
【００５３】
より具体的には、図３に示すように電源端子１９は下アーム部７底面の前方部分にある点Ｋから（掃除機本体の上下方向において）約１８ｍｍ上方に設けられており、且つ、下アーム部７底面の延長線Ｊ上に電源端子１９が交わらない位置に電源端子１９が存在するために、電源端子１９が床面と接触しない。尚、電源端子１９の長さＬは約４６ｍｍである。
【００５４】
このように、本実施例では、電気掃除機本体を床面に置いた際に電源端子１９が床面と接触しないため、電源端子１９が破損する危険性を低減することができる。
【００５５】
尚、本実施例では、下アーム部７底面前方の点Ｋから電源端子１９までの高さを約１８ｍｍとしたが、電源端子１９が破損する危険性を低減することができる高さであれば良く、１８ｍｍに限定されるものではない。また、本実施例では、電源端子１９の長さを約４６ｍｍとしたが、電源端子１９が破損する危険性を低減することができる長さであれば良く、４６ｍｍに限定されるものではない。
【００５６】
本実施例では、電源端子１９を電源端子接続表面１８から前方に突出した部分、即ち長さＬの部分としたが、図３に示すように、接続管部３と本体部２との接続した部分の略直下にある点Ｍから電源端子１９を前方に突出した構成としても良い。そうすることにより、更に電源端子１９と床面との接触する危険性を低減させることができる。
【００５７】
図３に示すように、上アーム部６は、中間部８に対して斜め後方に上方に向けて傾斜している。下アーム部７は、中間部８に対して斜め後方に下方に向けて傾斜している。このような構成とすることにより、把手部９の長さを確保することができ、手の大きな使用者でも容易に把手部９を持つことができる。
【００５８】
例えば、中間部８に対して上アーム部６と下アーム部７が、中間部８と略平行に後方に延在する構成であると、把手の長さを確保することができないが、本実施例装置では、先
ほど述べたように、把手の長さを確保することができる。
【００５９】
図３に示すように、上アーム部６と把手部９の接続部分に前方傾斜部２０が形成されている。
【００６０】
更に、上アーム部６、下アーム部７、中間部８、把手部９に囲まれた部分には空間部２１が形成されている。
【００６１】
この空間部２１に接している前方傾斜部２０の前端の点Ｎから前方傾斜部２０の後端の点Ｏにかけて、前方傾斜部２０は下方に傾斜する形状となっている。
【００６２】
また、空間部２１に接している把手部９は、その中央部分が前方に向けて多少反った形状となっている。
【００６３】
また、空間部２１に接している中間部８と下アーム部７の接続部分近傍は、前方に多少窪んだ形状となっている。このように、前方に多少窪んだ形状とすることにより、本体部２を軽量化することが可能であるだけでなく、本体部２に電動送風機が存在していることを使用者が知ることができるデザインを実現することができる。
【００６４】
上アーム部６底面側後端の点Ｐから前方傾斜部２０前端の点Ｎまでの電気掃除機の上下方向における高さは約２０ｍｍである。また、前方傾斜部２０前端の点Ｎから前方傾斜部２０後端の点Ｏまでの電気掃除機の上下方向における高さは約５ｍｍである。
【００６５】
仮に前方傾斜部２０がなければ、使用者が把手部を持った際に、空間部２１上方の狭い空間に使用者の人差し指が入り、非常に持ちにくいといった問題が生じるが、本実施例装置のように前方傾斜部２０を形成したことにより、空間部２１上方の幅（電気掃除機の前後方向における幅）を確保することができ、使用者の人差し指が入る領域に余裕をもたせることができる。
【００６６】
また、電気掃除機の重量が使用者の手に掛かる場所を分散することができる。具体的には、前方傾斜部２０と上アーム部６の後方部分に電気掃除機の重量が分散されて、使用者の手に重量をかけることができる。
【００６７】
図４は、図１の本体部２と接続管部３近傍の側面図である。
【００６８】
図４では、延長管部の軸Ｈと、下アーム部７の軸Ｇと、把手部９の軸Ｑの３つの軸の関係を示している。
【００６９】
軸Ｈと軸Ｇにより成す角が角Ｉ、軸Ｈと軸Ｑにより成す角が角Ｒ、軸Ｑと軸Ｇにより成す角が角Ｓである。
【００７０】
角度の大きさは、角度の大きな角から小さな角に順に、角Ｒ、角Ｓ、角Ｉとなっており、この３つの角度の内最も鋭角なのが角Ｉ、最も鈍角なのが角Ｒである。
【００７１】
このように、軸Ｈと軸Ｇにより成す角である角Ｉを最も鋭角としている。このことは、二次電池１７を搭載した下アーム部７が接続管部３の軸に対して開く角度が小さいということであり、このような構成とすることにより、使用者が把手部９を持った際に、二次電池１７の重みが電気掃除機の前後方向において一部分に集中することを回避している。
【００７２】
一方、軸Ｈと軸Ｑにより成す角である角Ｒを最も鈍角としている。このことは、把手部
９が接続管部３に対して開く角度が大きいということであり、このような構成とすることにより、使用者が把手部９を持った際に、中間部８と把手部９との間の空間部２１の領域を広くとることが可能となり、使用者が把手部９を容易に持つことができる。
【００７３】
本実施例のように３つの角度を設定することにより、使用者が把手部９を持ちやすくすることができるだけでなく、電気掃除機の重量が使用者の特定の部位に集中することを回避することができる。このため、使用者は長時間でも楽に掃除を行うことができる。
【００７４】
図４を用いて説明した発明は、以下のように記載することもできる。
【００７５】
接続管部３の軸の軸線Ｈと、把手部９の軸の軸線Ｑと、下アーム部７の軸の軸線Ｇとで三角形が形成され、且つ、接続管部３の軸の軸線Ｇと下アーム部７の軸の軸線とが成す角Ｉが、三角形の３つの角の内、最も鋭角である。
【００７６】
接続管部３の軸の軸線Ｈと、把手部９の軸の軸線Ｑと、下アーム部７の軸の軸線Ｇとで三角形が形成され、且つ、接続管部３の軸の軸線Ｈと把手部９の軸の軸線Ｑとが成す角Ｒが、三角形の３つの角の内、最も鈍角である。
【００７７】
図５は、使用者が把手部９を持った状態を示す部分側面図である。
【００７８】
使用者が把手部９を持つと、電気掃除機の自重により、前方傾斜部２０が使用者の人差し指に当たると共に、上アーム部６の後方部分が、親指の根元近傍に当たる。
【００７９】
このため、電気掃除機の重量が、前方傾斜部２０と上アーム部６に分散され、使用者の手の特定の部位に電気掃除機の重量が集中することを回避することができる。従って、使用者は楽に電気掃除機を動かすことができる。
【００８０】
使用者が電気掃除機を前方に押す際には、使用者は把手部９を握ると共に、前方傾斜部２０に人差し指を当てることにより、電気掃除機を安定して持つことが可能であるだけでなく、容易に電気掃除機を前方に押し出すことができる。
【００８１】
一方、使用者が電気掃除機を後方に引く際には、使用者は把手部９を握ると共に、上アーム部６の後方部分が親指の根元近傍に当たるため、電気掃除機を安定して持つことが可能であるだけでなく、電気掃除機の重量を前方傾斜部２０と上アーム部６の後方部分に分散でき、特に上アーム部６の上方部分を使用者の親指の根元部分近傍で支えることができ、容易に電気掃除機を後方に引くことができる。
【００８２】
図６はダストボックス１１の斜視図である。
【００８３】
ダストボックス１１は、底部に開閉可能な蓋部２２を有しており、使用者は開閉レバー２３を下方に下げることにより、開閉レバー２３が蓋部２２を下方に押下し、蓋部２２が開くようになっている。
【００８４】
また、ダストボックス１１は側面に第２の開口１３を有しており、ダストボックス１１を接続管部３に装着した際に、接続管部３の第１の開口１２とダストボックス１１の第２の開口１３が合致し、電動送風機１０を駆動した際に、接続管部３内部からダストボックス１１内部へと空気が流れるようになっている。
【００８５】
ダストボックス１１は上面に第３の開口１４を有しており、ダストボックス１１を接続管部３に装着した際に、本体部２の第４の開口１５とダストボックス１１の第３の開口１
４とが合致し、電動送風機１０を駆動した際に、ダストボックス１１内部から電動送風機１０内部へと空気が流れるようになっている。
【００８６】
ダストボックス１１は、開閉レバー２３の右側にブラシ２４を保持するための第１保持部２５を有しており、この第１保持部２５の下方には、ブラシ２４を保持するための第２保持部２６を有している。
【００８７】
第２保持部２６は断面が略Ｕ字形状でありブラシ２４後端を保持する。一方、第１保持部２５は断面が略Ｌ字形状でありブラシ２４中央部近傍を保持する。
【００８８】
使用者は、ブラシ２４を上方から第２保持部２６に向けて差し込むことによりブラシ２４をダストボックス１１に装着することができる。
【００８９】
また、ダストボックス１１上部には、スプリング等により上下方向に摺動可能な摺動部２７が形成されている。また、蓋部２２には、上方に突出した突部２８が形成されている。この摺動部２７と突部２８によりダストボックス１１が接続管部３（より正確には、接続管部３と本体部２）に接続されるが、詳細は後述する。
【００９０】
図７は、ダストボックス１１を接続管部３に装着した状態を示す斜視図である。
【００９１】
図８は、ダストボックス１１を接続管部３から外した状態を示す斜視図である。
【００９２】
図８において、本体部２に電動送風機１０からの吸引風が発生する第４の開口１５と、ダストボックス１１を装着するための第１接続凹部２９が形成されており、接続管部３には、ダストボックス１１を装着するための、第２接続凹部３０が形成されている。また、接続管部３の一方の側面側には、上方に向けて開口した、ダストボックス１１の第２の開口１３と接続するための第１の開口１２が形成されており、接続管部３の片方の側面側には、ダストボックス１１を接続管部３に装着した際にブラシ２４が収納される、ブラシ収納部３１が形成されている。
【００９３】
図８に示すように、ブラシ収納部３１は、接続管部３の長手方向に延在するブラシ収納側壁３２と、ブラシ収納側壁３２の後端から接続管部３側に延在するブラシ収納後壁３３とを有している。
【００９４】
ブラシ収納部３１は、上方から見ると、ブラシ収納側壁３２とブラシ収納後壁３３からなる断面が略Ｌ字状となっている。
【００９５】
接続管部３は、図８に示すように凹となる部分を有しており（収納凹部３４）、ダストボックス１１を接続管部３に装着した際に、この収納凹部３４に、ダストボックス１１の開閉レバー２３等が入り込むようになっている。
【００９６】
ブラシ収納部３１の、ブラシ収納側壁３２とブラシ収納後壁３３に囲まれた底面部分は、収納凹部３４と略面一となっている。尚、ブラシ収納側壁３２とブラシ収納後壁３３に囲まれた底面部分と、収納凹部３４との間に段差が形成されていても良い。
【００９７】
尚、図８に示すように、第１の開口１２に、例えばゴム等からなる逆止弁３５が設けられている。電動送風機１０を駆動させると吸引風が発生し、逆止弁３５が開き、ノズルから入ってきた塵が接続管部３の第１の開口１２を介してダストボックス１１内部に入り込む。一方、電動送風機１０の駆動を止めると、逆止弁３５が閉まり、ダストボックス１１内部の塵が接続管部３に逆流することを防止することができる。
【００９８】
ダストボックス１１を接続管部３に接続する際には、ダストボックス１１の蓋部２２側を斜め下方に傾けた状態で、まずダストボックス１１の突部２８を接続管部３の第２接続凹部３０に差し込み、続いて、ダストボックス１１の第３の開口１４側を下方に倒して、ダストボックス１１の摺動部２７を、本体部２の第１接続凹部２９に挿入する。この手順により、ダストボックス１１を接続管部３に接続することができる。
【００９９】
図７に示すように、ダストボックス１１を接続管部３に接続した状態では、ブラシ２４は、ブラシ収納側壁３２とブラシ収納後壁３３により外から見え難くなっている。このため、電気掃除機の美的外観を向上させることができる。
【０１００】
このブラシ２４は、主にダストボックス１１内部を清掃する際に使用されるが、ダストボックス１１を接続管部３から外した状態では、ブラシ２４は、使用者が着脱し易い位置にあり、一方、ダストボックス１１を接続管部３に装着した状態では、使用者がブラシ２４を使用する可能性が低いため、ブラシ２４が外から見えないように、且つ、着脱できないようにブラシ収納部３１に収納されている。
【０１０１】
また、使用者が電気掃除機を使用している最中に、ブラシ収納側壁３２とブラシ収納後壁３３があるためにブラシ２４の先端が使用者の衣服に当たることを防止することができるだけでなく、ブラシ２４先端に付いている塵が飛び散ることを防止することができる。
【０１０２】
更には、使用者が電気掃除機を使用している最中に、ブラシ２４がダストボックス１１から外れることを防止することができる。
【０１０３】
図９、図１０は、図７に示す本体部２と接続管部３を斜め下方から見た斜視図である。尚、図９は二次電池１７が収納された状態、図１０は二次電池１７が外された状態を示している。
【０１０４】
図９に示すように、下アーム部７内部には、電池収納部３６が形成されており、この電池収納部３６に二次電池１７が収納されている。また、電池収納部３６にはビス等（図示せず）により電池蓋部３７が装着されている。このため、使用者はビスを外さなければ電池収納部３６から二次電池１７を外すことができない。尚、図９では電池収納部３６から電池蓋部３７が外された状態を示している。
【０１０５】
図１０に示すように、電池収納部３６には、二次電池１７を収納するための収納凹部３８が形成されており、この収納凹部３８の前方には、断面が略コの字状の電池収納壁３９が配置され、収納凹部３８の後方には、後壁４０が形成されている。更に、電池収納部３６の筐体内側側面には複数のリブ４１が形成されている。
【０１０６】
電池収納壁３９は、本体部２の前方側に存在する前壁４２と、この側壁４３の左右両側から後方に延在する２つの側壁４３とを有している。また、この前壁４２と側壁４３の上方には天面壁４４を有している。
【０１０７】
また、電池収納壁３９は難燃性の材料であることが好ましく、例えば、難燃ポリプレピレンからなる。
【０１０８】
二次電池１７を電池収納部３６に収納すると、図９に示すように二次電池１７が２つの側壁４３の端部と後壁４０に挟まれた状態で収納される。
【０１０９】
二次電池１７は、二次電池１７に電力を供給するためのケーブル４５と接続されており
、このケーブル４５のコネクタを二次電池１７のコネクタに差し込んだ後に、二次電池１７を電池収納部３６に収納する際に、ケーブル４５を前壁４２に沿って折り曲げることで、ケーブル４５も二次電池１７と共に電池収納部３６に収納できる。
【０１１０】
この時、ケーブル４５は前壁４２に沿って配置されるが、ケーブル４５は前壁４２の内、電池蓋部３７に最も近い頂部４６で折り曲げられる。尚、本実施例では、電池蓋部３７を電池収納部３６に装着した状態で、電池蓋部３７と頂部４６との間の空間は、丁度ケーブル４５の直径と略同じか、ケーブル４５の直径よりも１〜数ミリ広い幅となっている。
【０１１１】
電池蓋部３７と頂部４６との間の空間が、ケーブル４５の直径と略同じである場合には、ケーブル４５は頂部４６に接触した状態で収納され、更に電池蓋部３７により上下の移動が規制される。
【０１１２】
電池蓋部３７と頂部４６との間の空間が、ケーブル４５の直径よりも１〜数ミリ広い幅となっている場合には、ケーブル４５は頂部４６から僅かに離れた状態で収納され、電池蓋部３７により上下の移動が規制される。
【０１１３】
前壁４２と側壁４３とで囲まれた空間には、ケーブル４５とコネクタ（図示せず）が配置される。また、側壁４３により二次電池１７の前後方向の移動が規制されているため、二次電池１７がケーブル４５又はコネクタに当たることを回避することができる。
【０１１４】
電源端子１９は、図示しないリード線を介して又は直接、図９に示す天面壁４４の裏面側の下アーム部７内部に配置されている回路基板（図示せず）と接続されており、更にこの回路基板からのリード線（ケーブル４５）が、二次電池１７と接続されている。
【０１１５】
図９に示す二次電池１７と接続されているケーブル４５は、ある程度の長さがないと、工場での組み立て時に、ケーブル４５のコネクタと二次電池１７のコネクタを接続することができない。しかしながら、ケーブル４５が長すぎると、ケーブル４５を収納した状態によっては断線する可能性がある。
【０１１６】
本実施例装置では、工場での組み立て時にケーブル４５のコネクタと二次電池１７のコネクタを容易に接続できるだけではなく、二次電池１７を電池収納部３６に収納した状態で、ケーブル４５が撓んだ状態となることをできるだけ回避することができる。このため、ケーブル４５が断線することをできるだけ回避することができる。
【０１１７】
図１１は、電気掃除機本体のシャーシ４７と当該シャーシ４７に接続されたボディ４８の分解斜視図である。シャーシ４７は複数の正六角形の孔４９を有する、所謂ハニカム構造である。このような構造により、電気掃除機本体を軽量化することができ、更には、強度も保つことができる。
【０１１８】
シャーシ４７とボディ４８は、ポリプロピレンのような熱可塑性樹脂により形成されている。強度と耐熱性を考慮するとポリプロピレンや、ポリプロピレンに繊維等を混入した材料が適しているが、他の材料、例えばＡＢＳ樹脂のような材料を用いても良い。尚、本実施例では、シャーシ４７とボディ４８を同じ材料としたが、異なる材料としても良い。
【０１１９】
また、シャーシ４７の孔４９は正六角形ではなく、三角形や四角形等他の多角形であっても良いし、円であっても良い。但し、強度と軽量化を考慮すると、正六角形が最も理想的である。
【０１２０】
一方、ボディ４８には、外部からの埃や水滴等が本体内部に侵入することを防止するた
めに排気口１６を除いた部分には孔が形成されていない。
【０１２１】
このように、シャーシ４７はハニカム構造とし、一方ボディ４８には孔が形成されていない構造とすることにより、電気掃除機の軽量化を実現しつつ本体の強度を維持している。更には、ボディ４８によりシャーシ４７のハニカム構造は外部から見えないようになっており、美的外観を良くしている。
【０１２２】
（実施の形態２）
実施の形態２では、実施の形態１の電気掃除機の保持台について説明する。
【０１２３】
図１２は、電気掃除機１を保持台５０に立て掛けた状態を示す斜視図である。
【０１２４】
図１３は、電気掃除機本体を保持台５０から外した状態を示す斜視図である。
【０１２５】
図１２において、保持台５０は、下方に台座５１と、当該台座５１から上方に向けて延在している柱部５２と、柱部５２の上方に接続されている保持部５３と、を有している。
【０１２６】
図１３において、保持部５３には、電気掃除機の接続管部３を保持するための収納凹部５４が形成され、更に、収納凹部５４の下方前方には、接続管部３の前方部分を狭持するための収納突部５６が形成されている。
【０１２７】
電気掃除機本体を保持台５０に立て掛ける際には、電気掃除機１の接続管部３の前方側を収納突部５６にはめこみ、収納突部５６により接続管部３の前方が狭持されると共に、接続管部３の左右に突出した部分が収納突部５６上方に当接することにより、電気掃除機本体が保持台５０に装着される。また、保持部５３の上面に電気掃除機の下アーム部７前方部分が当接するようになっている。
【０１２８】
更に、収納凹部５４には接続管部３に形成された電源端子１９と接続するための電源供給端子５５があり、電気掃除機本体を保持台５０に立て掛けた際に、電気掃除機本体の電源端子１９と保持台５０の電源供給端子５５とが接続されることにより、電源供給端子５５から電源端子１９に電力が供給され、電気掃除機本体に内蔵されている二次電池１７が充電される。
【０１２９】
図１４は、保持台５０からホース５７を外した状態を示す斜視図である。
【０１３０】
図１３、図１４に示すように、保持台５０の下方にある台座５１上面は傾斜しており、この傾斜した部分に電気掃除機本体のノズル５が当接するようになっている。さらに、保持台５０は、台座５１と保持部５３との間に、ホース５７を着脱自在に収納可能としている。
【０１３１】
図１５に示すように、保持台５０から取り外されたホース５７の一端は、電気掃除機本体に装備された接続管部３に着脱自在に取り付けることが可能であり、ホース５７の他端側には、各種用途別のアタッチメントノズル５８も着脱自在に取り付けることが可能である。
【０１３２】
よって、ホース５７を接続管部３に取り付ければ、ハンディタイプの電気掃除機１としての清掃作業もできるようになっている。
【０１３３】
次に図１６に示すように、保持台５０の台座５１には複数の円形穴状のノズル穴部５９が形成されており、このノズル穴部５９に各種用途別のアタッチメントノズル５８の装着
部を挿入することで、各々の各種用途別のアタッチメントノズル５８を、電気掃除機１と共に同一箇所の保持台５０に集約して収納することができる。
【０１３４】
尚、円形穴状のノズル穴部５９の円の直径寸法は、各種用途別のアタッチメントノズル５８の装着部の外径寸法より大きく設定してあり、挿入し易くしている。
【０１３５】
また、図１６および図１７に示すように、保持台５０の台座５１にはホース専用の円形穴状のホース凹部６０が形成されており、このホース凹部６０の底部から円錐台形状の凸部６１が上方に突出形成され、さらに、ホース凹部６０の内周壁と円錐台形状の凸部６１の外周壁との間の全周囲に溝６２が設けられている。そして、円形穴状のホース凹部６０の円の直径寸法は、ホース５７の装着部の外径寸法より大きく設定してあり、かつ円錐台形状の凸部６１の最大外径寸法をホース内径寸法よりも小さく設定している。
【０１３６】
そして、このような構成にすることで、ホース５７はホース専用の円形穴状のホース凹部６０に挿入する際に、先に、ホース５７の端部の内部に円錐台形状の凸部６１の外周壁が入り込み、円錐台形状の傾斜が誘いになって、ホース５７がホース凹部６０に入れ込み易くなり、かつ、円形穴状のホース凹部６０とホース５７とは隙間の余裕があってさらに挿入し易くなり、挿入後は、ホース５７の内部に円錐台形状の凸部６１が入り込み円錐台形状の凸部６１の外周壁によってホース５７の端部が内側に凹むのを防止することができる。
【０１３７】
また、一方、図１８および図１９に示すように、保持部５３の下方には、ホース５７を装着するための凸部６３が形成されており、この凸部６３にホース５７を嵌め合わせることができる。
【０１３８】
凸部６３の形状は、４側面の内少なくとも対向する２側面が共に下方から上方に向けて広がる形状とし、凸部６３の最大外径がホース５７内径よりも大きく設定し、ホース５７と凸部６３とが圧入嵌合状態となり保持できるようになり、ホース５７がホース５７の自重で外れるのを防止することができる。
【０１３９】
以上に記載した構成により、ホース５７を保持台５０の取り付ける作業としては、先ず、ホース５７の一端を保持台５０の台座５１に設けられたホース専用の円形穴状のホース凹部６０に挿入し、その後、ホース５７の他端を保持部５３の下方に設けた凸部６３にホース５７を嵌め合わせることによって保持することができる。また、アタッチメントノズル５８等の付属品を、電気掃除機と共に同一箇所の保持台５０に集約して収納することが可能であり、お客様による収納場所確保の手間を解消できるものである。
【０１４０】
また、柱部５２の長さがホース５７の長さと略同じ長さにする構成にした場合や、ホース５７の長さを、台座５１に設けたホース専用の円形穴状のホース凹部６０の底面から保持部５３の下方の凸部６３でのホース圧入部までの間の長さと略同じ長さに設定することで、ホース５７を伸ばした状態で保持台５０に保持収納することができるため、ホース５７が屈曲によりクセ付きするのを防止できると共に、収納時の外観的な見栄えを良くすることができ、ホースの劣化も防止することができる。また、ホース５７を収納するために別途スペースを確保する必要がなく、使用者にとっては非常に使いやすい構成にすることができる。
【０１４１】
実施の形態２については、以下のように記載することができる。
【０１４２】
電動送風機を内蔵し把手部有した電気掃除機本体と、電動送風機の吸引側に位置させたダストボックスと、電気掃除機本体に接続された接続管部と、接続管部に着脱自在に接続
される延長管と、延長管の他端に着脱自在に接続されるノズルと、一端が接続管部に着脱自在に接続され、他端が前記ノズルに着脱自在に接続されるホースと、電気掃除機本体を立て掛けることが可能な保持台と、を備え、保持台は、台座と、電気掃除機本体を着脱可能に保持する保持部と、台座と保持部との間に介在する柱部と、から構成され、台座と保持部との間に、ホースを収納可能とした電気掃除機の保持台。
【０１４３】
台座には、ホースの一端が挿入される凸部が上方を向いて形成され、保持部の下面にはホースの他端部を圧入嵌合させる凸部が形成されることで、ホースを台座と保持部との間に収納可能とした電気掃除機の保持台。
【０１４４】
台座に設けた凸部の形状を円錐台形状とし、円錐台の外径をホース内径よりも小さく設定した電気掃除機の保持台。
【０１４５】
台座に凹部を設け、凹部の底部から凸部を上方に突出させ、凹部の内周壁と凸部の外周壁との間の全周囲に溝を設けた電気掃除機の保持台。
【０１４６】
保持部の下面に設けた凸部の形状を、４側面の内少なくとも対向する２側面が共に下方から上方に向けて広がる形状とし、凸部の最大外径がホース内径よりも大きく設定し、
ホースと凸部とが圧入嵌合状態となり保持できるようにした電気掃除機の保持台。
【０１４７】
ホースの長さを、台座と保持部との間の長さと略同じ長さに設定することで、ホースを伸ばした状態で保持台に保持収納できるようにした電気掃除機の保持台。
【０１４８】
台座に、各種用途別のアタッチメントノズルを各々収納できる、複数の凹部を設けることで、電気掃除機と共に同一箇所の保持台に集約して収納できるようにした電気掃除機の保持台。
【０１４９】
保持部には、電気掃除機の接続管部を保持するための収納凹部が形成され、さらに、収納凹部の下方前方には、接続管部の前方部分を狭持するための収納突部が形成されている電気掃除機の保持台。
【０１５０】
ここまで実施の形態１と実施の形態２について説明したが、本実施例装置は、様々な発明を含んでいる。
【０１５１】
まず、図２に示すように、電動送風機１０の上下方向において、把手部９の重心Ｇは、電動送風機１０の軸Ｄと接続管部３の軸Ｈとの間に存在する。より好ましくは、把手部９の重心Ｇは、接続管部３の軸Ｈよりも電動送風機１０の軸Ｄに近い位置に存在する。
【０１５２】
このため、使用者が把手部９を持ち掃除を行う際に、電動送風機１０が接続管部３の軸よりも上方に配置された構造であっても安定して掃除を行うことができる。
【０１５３】
このような把手部９の重心Ｇと電動送風機１０の軸Ｄと接続管部３の軸Ｈの関係については以下のように記載することもできる。
【０１５４】
接続管部と接続された本体部２と、ダストボックス１１とを有し、本体部２は、上アーム部６と、下アーム部７と、上アーム部６と下アーム部７との間にある把手部９と、電動送風機１０と、電池と、を有し、ダストボックス１１と電動送風機１０は、夫々の軸が同一の方向に延在するように並べて配置され、且つ、ダストボックス１１の軸と電動送風機１０の軸は、接続管部３の軸より上方にある、電気掃除機。
【０１５５】
把手部９は、上アーム部６に対して斜めに配置され、把手部９の重心は、電動送風機１０の軸の軸線上の位置から接続管部３の軸の軸線上の位置までの範囲内にある電気掃除機。
【０１５６】
把手部９の重心は、接続管部３の軸の軸線上よりも、電動送風機１０の軸の軸線上に近い位置にある電気掃除機。
【０１５７】
下アーム部７は、接続管部３に対して斜め下方に向け傾斜している、電気掃除機。
【０１５８】
他の発明として、図３に示すように、電源端子１９は、延長線Ｊと交わらない位置にある。このため、電気掃除機本体を床面に置いた際に、即ち、下アーム部７底面が床面と接触した際に、電源端子１９が床面に触れないようになっている。
【０１５９】
図３を用いて説明した発明に関しては、以下のように記載することができる。
【０１６０】
接続管部３と接続された本体部２を有し、本体部２は、上アーム部６と、下アーム部７と、上アーム部６と下アーム部７との間にある中間部及び把手部９と、を有し、下アーム部７は、接続管部３に対して斜めに配置されており、且つ、下アーム部７の接続管部３側には、電源端子１９が配置されている、電気掃除機。
【０１６１】
前記本体部２は、前記接続管部３と接続された接続部材を有し、前記下アーム部７は、前記接続部材に対して斜めに配置されており、且つ、前記下アーム部７の前記接続部材との接続面において、前記接続部材との接続部分から下方の領域には、電源端子１９が配置されている、電気掃除機。
【０１６２】
接続管部３の軸と電源端子１９の軸とが略平行である電気掃除機。
【０１６３】
接続部材の上方にダストボックス１１が着脱可能に配置され、中間部には電動送風機１０が配置され、下アーム部７には充電池が配置されている、電気掃除機。
【０１６４】
この発明では、電気掃除機本体を床面に置いた際に電源端子１９が床面と接触しないため、電源端子１９が破損する危険性を低減することができる。
【０１６５】
図９と図１０を用いて説明した電池収納部３６に関する発明は、以下のように記載することもできる。
【０１６６】
ケーブルを接続した状態で電池を収納する電池収納部３６を有し、電池収納部３６には、電池収納壁３９が設けられ、電池収納壁３９にケーブルが当接又は近接するように、電池収納壁３９の頂部４６でケーブルが曲げられた状態で、電池収納部３６に電池が収納される、電気掃除機。
【０１６７】
電池収納壁３９は略コの字状の断面を有し、電池収納壁３９の左右両側には、電池の移動を妨げるための側壁４３が形成されている、電気掃除機。
【０１６８】
電池収納壁３９の底部には、電池を受けるための電池受け部が形成されている、電気掃除機。
【０１６９】
電池収納部３６は開口部を有し、開口部には電池蓋部３７を装着可能であり、開口部に電池蓋部３７が装着され且つ、電池収納部３６に電池が収納された状態で、ケーブルの内頂部４６で曲げられた部分が電池蓋部３７に当接又は近接する、電気掃除機。
【０１７０】
図９と図１０を用いて説明した電池収納部３６に関する発明により、工場で電池を電池収納部３６に収納する際に必要なケーブルの長さを確保しつつ、電池を電池収納部３６に収納した状態でケーブルが断線する可能性を低減させることができる。
【０１７１】
図７、図８に示すブラシ収納部３１に関しては以下のように記載することもできる。
【０１７２】
ブラシを収納するブラシ収納部３１を有し、ブラシ収納部３１は、ブラシを収納した状態において、ブラシの延在する方向に延びる断面が略Ｌ字形状の部分を有する電気掃除機。
【０１７３】
断面が略Ｌ字形状の部分は、電気掃除機本体の延在する方向に沿って立設した部分であるブラシ収納側壁３２と、ブラシ収納側壁３２と垂直な方向に延在するブラシ収納後壁と、を有し、掃除機本体上方から見た状態で断面が略Ｌ字形状である、電気掃除機。
【０１７４】
ブラシ収納部３１に前記ブラシを収納した状態で、ブラシの先端部分が、ブラシ収納後壁に近接する、電気掃除機。
【０１７５】
ブラシは、ダストボックス１１に着脱可能であり、電気掃除機本体にダストボックス１１を着脱可能であり、ダストボックス１１を電気掃除機本体に装着した状態で、ブラシがブラシ収納部３１に収納される、電気掃除機。
【０１７６】
接続管部３と、接続管部３に接続された本体部２とを有し、本体部２は、吸引風を発生させる電動送風機１０と、把手部９と、を有し、ダストボックス１１を接続管部３に装着した状態で、ダストボックス１１の後方に前記電動送風機１０が位置する、電気掃除機。
【０１７７】
接続管部３は、第１の開口を有し、ダストボックス１１は、第２の開口と第３の開口を有し、本体部２は第４の開口を有し、ダストボックス１１を接続管部３に装着した際に、本体部２の第４の開口はダストボックス１１の第３の開口と対向し、ダストボックス１１の第２の開口と接続管部３の第１の開口が対向し、第２の開口とブラシ収納部３１は接続管部３の同一面上に設けられている電気掃除機。
【０１７８】
図７、図８に示すブラシ収納部３１に関する構成により、ダストボックス１１を接続管部３に接続した状態では、ブラシ２４は、ブラシ収納側壁３２とブラシ収納後壁３３により外から見え難くなっている。このため、電気掃除機の美的外観を向上させることができる。
【０１７９】
また、使用者が電気掃除機を使用している最中に、ブラシ収納側壁３２とブラシ収納後壁３３があるためにブラシ２４の先端が使用者の衣服に当たることを防止することができるだけでなく、ブラシ２４先端に付いている塵が飛び散ることを防止することができる。
【０１８０】
更には、使用者が電気掃除機を使用している最中に、ブラシ２４がダストボックス１１から外れることを防止することができる。
【０１８１】
図１２と図１３を用いて説明した保持台５０と電気掃除機本体の発明に関しては、以下のように記載することもできる。
【０１８２】
掃除機本体を立て掛けることが可能な保持台５０であり、保持台５０は、掃除機本体を着脱可能に保持する保持部５３と、台座５１と、保持部５３と台座５１との間に介在する支持柱と、を有し、台座５１と保持部５３との間にホースを収納可能である、電気掃除機
の保持台５０。
【０１８３】
保持台５０は、電気掃除機の電池を充電するための電源供給端子を有する、電気掃除機の保持台５０。
【０１８４】
この発明によれば、ホース５７を伸ばした状態で保持台５０に保持することができる。また、ホース５７を収納するために別途スペースを確保する必要がなく、使用者にとっては非常に使いやすい構成となっている。
【０１８５】
（実施の形態３）
図２０は実施の形態３における本体部２と接続管部３近傍の側面図である。
【０１８６】
実施の形態３と実施の形態１とで異なる点は、実施の形態１では、上アーム部６後方の裏面側（使用者が把手部９を持った際に親指近傍が当接する部分）が傾斜していないが、実施の形態３では傾斜している点である。他の構造については実施の形態１と実施の形態３とでは同一の構造となっているため、説明を省略する。
【０１８７】
図２０に示すように、上アーム部６後方の裏面側（使用者が把手部９を持った際に親指近傍が当接する部分）が、前方から後方に向かって上るように傾斜しており、この傾斜した部分を後方傾斜部６４と称している。
【０１８８】
前方傾斜部２０が前方から後方に向けて下るように傾斜しており、後方傾斜部６４が前方から後方に向けて上るように傾斜している。このような形状であるために、使用者が把手部９を持った際に、前方傾斜部２０は使用者の人差し指に確実に当接し、後方傾斜部６４は使用者の親指に確実に当接する。
【０１８９】
従って、上アーム部６から使用者の手（特に人差し指と親指近傍）にかかる力を分散させ、使用者の手の一部の部位に大きな力がかかることをできるだけ回避することが可能である。このため、使用者は楽に電気掃除機を動かして掃除を行うことができる。
【０１９０】
尚、図２０に示すように、前方傾斜部２０の勾配は、後方傾斜部６４の勾配よりも急である。本実施例とは異なる実施形態として、後方傾斜部６４の勾配を前方傾斜部２０の勾配よりも急にすることも可能である。
【０１９１】
（その他の実施形態）
本電気掃除機が取り得る具体的な形態は、上記実施形態に例示された形態に限定されない。本電気掃除機は、本発明の目的が達成される範囲において、上記実施形態とは異なる各種の形態を取り得る。以下に示される上記実施形態の変形例は、本電気掃除機が取り得る各種の形態の一例である。
【０１９２】
本実施例では、二次電池１７を用いたが、充電不可能な一次電池を用いた形態としても良い。その場合には、使用者が容易に電池を交換可能とすることが好ましい。例えば、蓋部２２はビス等で固定せずに、使用者がスライドして容易に本体に着脱できることが好ましい。
【０１９３】
また、本実施例では、電気掃除機本体を保持台５０に立て掛けた際に、電気掃除機本体に内蔵された二次電池１７を充電できる形態としているが、電気掃除機本体に電源アダプターからのコードを接続し、電気掃除機を使用できる形態としても良い。
【０１９４】
また、保持台５０に電気掃除機本体に内蔵された二次電池１７を充電できる機能がない
実施形態としても良いし、単に掃除機本体を立て掛けることが可能な保持台としても良い。この保持台は、二次電池１７を充電する機能があってもなくてもどちらの形態でもよい。
【０１９５】
また、本実施例では、ブラシ収納部３１を接続管部３に設けたが、ブラシ収納部３１を接続管部３に設けない形態も考えられる。この場合、使用者はダストボックス１１を接続管部３に接続した状態で、ブラシ２４を取り出すことができる。
【０１９６】
また、本実施例では、ダストボックス１１と電動送風機１０の２つの軸は略同一の位置にあるが、この２つの軸がずれている実施形態としても良い。
【０１９７】
また、本実施例では、電池収納壁３９を掃除機のシャーシ４７やボディ４８と別部材としたが、電池収納壁３９を例えばシャーシ４７と一体的に構成した実施形態としても良い。
【産業上の利用可能性】
【０１９８】
本発明の電気掃除機は、広く一般家庭やオフィス等で使用することができる。
【符号の説明】
【０１９９】
２  本体部
３  接続管部
４  延長管
５  ノズル
６  上アーム部
７  下アーム部
８  中間部
９  把手部
１０  電動送風機
１１  ダストボックス
１２  第１の開口
１３  第２の開口
１４  第３の開口
１５  第４の開口
１６  排気口
１７  二次電池
１８  電源端子接続表面
１９  電源端子
２０  前方傾斜部
２１  空間部
２２  蓋部
２３  開閉レバー
２４  ブラシ
２５  第１保持部
２６  第２保持部
２７  摺動部
２８  突部
２９  第１接続凹部
３０  第２接続凹部
３１  ブラシ収納部
３２  ブラシ収納側壁
３３  ブラシ収納後壁
３４  収納凹部
３５  逆止弁
３６  電池収納部
３７  電池蓋部
３８  収納凹部
３９  電池収納壁
４０  後壁
４１  リブ
４２  前壁
４３  側壁
４４  天面壁
４５  ケーブル
４６  頂部
４７  シャーシ
４８  ボディ
４９  孔
５０  保持台
５１  台座
５２  柱部
５３  保持部
５４  収納凹部
５５  電源供給端子
５６  収納突部
５７  ホース
５８  アタッチメントノズル
５９  ノズル穴部
６０  ホース凹部
６１  凸部
６２  溝
６３  凸部
６４  後方傾斜部
【図１】
2020175235.tif 000003
【図２】
2020175235.tif 000004
【図３】
2020175235.tif 000005
【図４】
2020175235.tif 000006
【図５】
2020175235.tif 000007
【図６】
2020175235.tif 000008
【図７】
2020175235.tif 000009
【図８】
2020175235.tif 000010
【図９】
2020175235.tif 000011
【図１０】
2020175235.tif 000012
【図１１】
2020175235.tif 000013
【図１２】
2020175235.tif 000014
【図１３】
2020175235.tif 000015
【図１４】
2020175235.tif 000016
【図１５】
2020175235.tif 000017
【図１６】
2020175235.tif 000018
【図１７】
2020175235.tif 000019
【図１８】
2020175235.tif 000020
【図１９】
2020175235.tif 000021
【図２０】
2020175235.tif 000022